(57)【要約】【課題】  網状物の全体的な構造強度を高め、網状物に大型の破孔が生じるのを避けることができる網状物の編み方法を提供することにある。【解決手段】  複数個の第一線材と複数個の第二線材をそれぞれ一個の第一回動部材と一個の第二回動部材に貫穿させた後、第一回動部材と第二回動部材が共同で回動する段階と転位する段階を奇数回で半回転回動させ、循環的に重複して行うことにより、斜め方向に編まれた網状物を形成するように構成されている。【選択図】図１
2014519984.tif 000002
【特許請求の範囲】
【請求項１】
線材貫穿の段階、第一転位の段階、第一回動の段階、第二転位の段階、第二回動の段階および重複の段階を含む網状物の編み方法であって、
上記線材貫穿の段階は複数個の第一線材（３ａ、３ａ’）をそれぞれ一個の第一回動部材（１３’、１３ａ’、１３ｂ’、１３ｃ’）に貫穿させ、さらに複数個の第二線材（３ｂ、３ｂ’）を別々に一個の第二回動部材（１３”、１３ａ”、１３ｂ”、１３ｃ”）に貫穿させ、
上記第一転位の段階は一個の第一底座（１１’）と一個の第二底座（１１”）を制御して一個の原位置状態から一個の転位状態まで転位移動することにより、第一線材（３ａ、３ａ’）と第二線材（３ｂ、３ｂ’）はそれぞれ一個の第一方向と一個の第二方向に沿って延伸して延伸部（３１、３１ａ、３１ａ’、３１ｂ）を形成し、
上記第一回動の段階は第一回動部材（１３’、１３ａ’、１３ｂ’、１３ｃ’）と第二回動部材（１３”、１３ａ”、１３ｂ”、１３ｃ”）を共同で奇数回、半回転させることにより、第一線材（３ａ、３ａ’）と第二線材（３ｂ、３ｂ’）は互いに絡み合って絡み合わせ部（３２、３２’）を形成し、
上記第二転位の段階は第一底座（１１’）と第二底座（１１”）を転位移動させ、上記転位状態から上記原位置状態まで回復させることにより、第一線材（３ａ、３ａ’）と第二線材（３ｂ、３ｂ’）は依然としてその第一方向と第二方向に沿って延伸して延伸部（３３、３３ａ、３３ａ’、３３ｂ）を形成し、
上記第二回動の段階は第一回動部材（１３’、１３ａ’、１３ｂ’、１３ｃ’）と第二回動部材（１３”、１３ａ”、１３ｂ”、１３ｃ”）を共同で奇数回、半回転させることにより、第一線材（３ａ、３ａ’）と第二線材（３ｂ、３ｂ’）は絡み合って絡み合わせ部（３４、３４’）を形成し、
上記重複の段階はそれぞれの延伸部（３１、３１ａ、３１ａ’、３１ｂ、３３、３３ａ、３３ａ’、３３ｂ）と絡み合わせ部（３２、３２’、３４、３４’）により構成される網状物のサイズが予定の大きさに達するまで、上記第一転位の段階から上記第二回動の段階まで新たに行う
ことを特徴とする網状物の編み方法。
【請求項２】
編む時に順序に従って上記線材貫穿の段階、第一転位の段階、第一回動の段階、第二転位の段階、第二回動の段階および重複の段階を行うことを特徴とする請求項１に記載の網状物の編み方法。
【請求項３】
編む時に順序に従って上記線材貫穿の段階、第一回動の段階、第一転位の段階、第二回動の段階、第二転位の段階および重複の段階を行うことを特徴とする請求項１に記載の網状物の編み方法。
【請求項４】
第一線材（３ａ）と第二線材（３ｂ）の一端は牽引によって第一底座（１１’）と第二底座（１１”）から遠く離れることを特徴とする請求項１に記載の網状物の編み方法。
【請求項５】
上記第二転位の段階において、第一底座（１１’）と第二底座（１１”）は上記第一転位と反対の転位方向をもって転位移動を行って上記原位置状態まで回復することを特徴とする請求項１に記載の網状物の編み方法。
【請求項６】
上記第一回動の段階と上記第二回動の段階の中の回動方向は同じであることを特徴とする請求項１に記載の網状物の編み方法。
【請求項７】
上記第一回動の段階と上記第二回動の段階の中の回動方向は反対であることを特徴とする請求項１に記載の網状物の編み方法。
【発明の詳細な説明】
【技術分野】
【０００１】
本発明は、編み方法に関するもので、特に網状物の編み方法に係るものである。
【背景技術】
【０００２】
図１４、図１５、図１６を参照すると、従来の編み物の編み方法は中華民国公告第２５２３７０号の「石蛇篭金属網専用機の改良」および中華民国公告第２９１７１４号の「石蛇篭編み機改良」に記載される編み機によって製造されていた。上記編み機には主に一個の編みユニット１が含まれる。編みユニット１には一個の底座セット１１、複数個の編み孔１２、複数個の回動部材セット１３および一個の駆動部材１４が含まれる。
【０００３】
底座セット１１は一個の第一底座１１’と一個の第二底座１１”によって共同で構成され、かつ第一底座１１’と第二底座１１”は互いに当接する部位においてそれぞれ一個の第一当接面１１１’と一個の第二当接面１１１”が含まれる。それぞれの編み孔１２は別々に一個の第一半孔１２’と一個の第二半孔１２”によって共同で構成される。複数個の第一半孔１２’は第一底座１１’の第一当接面１１１’に設置され、複数個の第二半孔１２”は第二底座１１”の第二当接面１１１”に設置されることにより、互いに位置合わせされた第一半孔１２’（１２ａ’、１２ｂ’、１２ｃ’）と第二半孔１２”（１２ａ”、１２ｂ”、１２ｃ”）は共同で編み孔１２を構成する。
【０００４】
それぞれの回動部材セット１３は別々に回動自在にそれぞれの編み孔１２の内に設置され、かつ、それぞれの回動部材セット１３には別々に二個の線材貫穿孔１３１が穿設される。それぞれの回動部材セット１３は別々に一個の第一回動部材１３’（１３ａ’、１３ｂ’、１３ｃ’）と一個の第二回動部材１３”（１３ａ”、１３ｂ”、１３ｃ”）によって共同で構成される。それぞれの第一回動部材１３’と第二回動部材１３”には別々に一個の第一線材貫穿孔１３１’と一個の第二線材貫穿孔１３１”が穿設されることにより、別々に一個の線材３、３ａ、３ｂが貫穿するのに用いられる。駆動部材１４は回動部材セット１３が回動するように連動するのに用いられ、例えば、回動部材セット１３の外周縁においてねじ山を設置し、さらに駆動部材１４において互いに対応するねじ山を設置することにより、回動部材セット１３が回動するように連動する。上記編み機には、好ましくは他に一個の巻取りユニット２が含まれる。巻取りユニット２は編みユニット１の片側に併設され、巻取りユニット２は一個の動力ユニットによって駆動されることにより、編み終えた網状物を巻き取ることができる。
【０００５】
再び図１５と図１６を参照すると、従来の網状物の編み方法では、先ず、それぞれの線材貫穿孔１３１に別々に一個の線材３を穿設し、線材３の一端が線材貫穿孔１３１を貫穿した後、巻取りユニット２に向かって延伸し、さらに巻取りユニット２によって引き続き巻き取られる。図１６における第一回動部材１３ａ’、１３ｂ’、１３ｃ’と第二回動部材１３ａ”、１３ｂ”、１３ｃ”を例にして後続において引き続き説明する。
【０００６】
図１６、１７、１８を参照すると、それから駆動部材１４を利用して回動部材セット１３を駆動することにより、整数回の回動を生じさせる。例えば、２回りまたは３回りすることによって第一回動部材１３ａ’と第二回動部材１３ａ”は整数回の回動を経た後、別々に元来の位置である第一半孔１２’と第二半孔１２”の内に依然として位置し、そして巻取りユニット２によって持続的に巻き取られることにより、図１７に示されるように第一列の複数個の並列される絡み合わせ部３ｗを獲得することができる。
【０００７】
図１８、１９、２０を参照すると、それから第一底座１１’と第二底座１１”を別々に第一当接面１１１’と第二当接面１１１”に沿って相対的な転位を生じさせる。図１４を例に挙げると、第一底座１１’を右（第一方向）への相対的な転位を生じさせることにより、それぞれの第一半孔１２ａ’は右へ転位して第二半孔１２ｂ”と共同で一個の編み孔１２を形成し、そして第一回動部材１３ａ’と第二回動部材１３ｂ”は共同で同一の編み孔１２の内に位置する。このように、図１９に示されるように、それぞれの絡み合わせ部３ｗの両側には別々に一段の延伸部３ｘが延伸される。例えば第一回動部材１３ａ’の右への転位によって絡み合わせ部３ｗは右へ延伸して延伸部３ｘ’が形成される。
【０００８】
図２０、２１、２２を参照すると、それから再び駆動部材１４によって回動部材セット１３を駆動して整数回の回動を生じさせた後、さらに進んで第二列の絡み合わせ部３ｙが製造される。
【０００９】
図２２、２３、２４を参照すると、それから再び第一底座１１’と第二底座１１”を第一当接面１１１’と第二当接面１１１”に沿って相対的な転位を生じさせる。図２４を例に挙げると、第一底座１１’を左への相対的な転位を生じさせることにより、それぞれの第一半孔１２’は左へ転位して元来の第二半孔１２”と共同で一個の編み孔１２を形成し、そして第一回動部材１３ａ’は元来の第二回動部材１３ａ”と共同で同一の編み孔１２の内に位置する。このように、図２３に示されるように、それぞれの絡み合わせ部３ｙは再び両側へ向かって別々に一段の延伸部３ｚが形成される。例えば、第一回動部材１３ａ’の左への転位によって絡み合わせ部３ｙは左へ延伸して延伸部３ｚ’が形成される。
【００１０】
このように、回動部材セット１３によって整数回回動させた後、再び第一回動部材１３’と第二回動部材１３”を平行に移動して転位させてから、再び回動部材セット１３を整数回回動させ、それから再び第一回動部材１３’と第二回動部材１３”を元来の位置まで平行に移動する。上記の段階を重複することにより、図２５に示すようにそれぞれの線材３は往復時にＳ字形を重複して縦方向に延伸することにより、一個の網状物を編み終えることができる。
【先行技術文献】
【特許文献】
【００１１】
【特許文献１】中華民国公告第２５２３７０号
【特許文献２】中華民国第２９１７１４号
【発明の概要】
【発明が解決しようとする課題】
【００１２】
しかしながら、従来の網状物の編み方法によって製造される網状物では、仮にその内の一個の線材３が断裂すると、図２５に示すように長条状の大型の破孔が形成されるため、上記網状物によって被覆して囲まれる物品は上記大型の破孔から漏れ落ちやすくなる。このように、従来の網状物の編み方法によって製造される網状物では全体的な構造強度が弱く、大型の破孔が生じ易いという問題点があった。
【００１３】
上述した原因に基づき、上述した従来の網状物の編み方法に対してさらなる改良が求められている。
【００１４】
本発明はこのような問題点に鑑みて発明されたものであって、その主たる目的は、全体的な構造強度を高め、大型の破孔が生じるのを避けることができる網状物の編み方法を提供することにある。
【課題を解決するための手段】
【００１５】
上記目的を達成するために、本発明による網状物の編み方法は、線材貫穿の段階、第一転位の段階、第一回動の段階、第二転位の段階、第二回動の段階および重複の段階を含む。線材貫穿の段階は、複数個の第一線材をそれぞれ一個の第一回動部材に貫穿させ、さらに複数個の第二線材をそれぞれ一個の第二回動部材に貫穿させる。第一転位の段階は、一個の第一底座と一個の第二底座を制御して一個の原位置状態から一個の転位状態まで転位移動することにより、第一線材と第二線材を別々に一個の第一方向と一個の第二方向に沿って延伸させて延伸部を形成する。第一回動の段階は、第一回動部材と第二回動部材を共同で奇数回、半回転させることにより、第一線材と第二線材を互いに絡み合わせることによって絡み合わせ部を形成する。第二転位の段階は、第一底座と第二底座を転位移動させ、転位状態から原位置状態まで回復させることにより、第一線材と第二線材を依然としてその第一方向と第二方向に沿って延伸させて延伸部を形成する。第二回動の段階は、第一回動部材と第二回動部材を共同で奇数回、半回転させることにより、第一線材と第二線材を絡み合わせることによって絡み合わせ部を形成する。重複の段階は、それぞれの延伸部と絡み合わせ部により構成される網状物のサイズが予定の大きさに達するまで、第一転位の段階から第二回動の段階までを繰り返し行う。
【００１６】
また、本発明による網状物の編み方法は、編む時に順序に従って線材貫穿の段階、第一転位の段階、第一回動の段階、第二転位の段階、第二回動の段階および重複の段階を行うこともできる。また、編む時に順序に従って線材貫穿の段階、第一回動の段階、第一転位の段階、第二回動の段階、第二転位の段階および重複の段階を行うこともできる。また、第一線材と第二線材の一端は牽引によって第一底座と第二底座から遠く離れることもできる。また、第二転位の段階において、第一底座と第二底座は第一転位と反対の転位方向をもって転位移動を行って原位置状態まで回復することもできる。また、第一回動の段階と第二回動の段階の中の回動方向は同じであることもできる。また、第一回動の段階と第二回動の段階の中の回動方向は反対であることもできる。
【発明の効果】
【００１７】
本発明の網状物の編み方法によれば、全体的な構造強度を高め、大型の破孔が生じるのを避けることができるという利点がある。
【図面の簡単な説明】
【００１８】
【図１】図１は、本発明の網状物の編み方法の工程図である。
【図２】図２は、本発明の第一転位の段階における作動説明図である。
【図３】図３は、本発明の第一転位の段階の別の視点における作動説明図である。
【図４】図４は、本発明の第一回動の段階における作動説明図である。
【図５】図５は、本発明の第一回動の段階の別の視点における作動説明図である。
【図６】図６は、本発明の第二転位の段階における作動説明図である。
【図７】図７は、本発明の第二転位の段階の別の視点における作動説明図である。
【図８】図８は、本発明の第二回動の段階における作動の説明図である。
【図９】図９は、本発明の第二回動の段階の別の視点における作動説明図である。
【図１０】図１０は、本発明が新たに第一転位を行う段階の作動説明図である。
【図１１】図１１は、本発明が新たに第一転位を行う段階の別の視点における作動説明図である。
【図１２】図１２は、本発明の網状物の編み方法により製造される網状物の破孔の説明図である。
【図１３】図１３は、本発明の網状物の編み方法のもう一つの工程図である。
【図１４】図１４は、従来の編み機の構造図である。
【図１５】図１５は、従来の編み機の線材貫穿後の説明図である。
【図１６】図１６は、従来の編み機の線材貫穿後の別の視点における説明図である。
【図１７】図１７は、従来の網状物の編み方法の作動説明図である。
【図１８】図１８は、従来の網状物の編み方法の別の視点における作動説明図である。
【図１９】図１９は、従来の網状物の編み方法の作動説明図である。
【図２０】図２０は、従来の網状物の編み方法の別の視点における作動説明図である。
【図２１】図２１は、従来の網状物の編み方法の作動説明図である。
【図２２】図２２は、従来の網状物の編み方法の別の視点における作動説明図である。
【図２３】図２３は、従来の網状物の編み方法の作動説明図である。
【図２４】図２４は、従来の網状物の編み方法の別の視点における作動説明図である。
【図２５】図２５は、従来の網状物の編み方法により製造される網状物の破孔の説明図である。
【発明を実施するための最良の形態】
【００１９】
本発明の実施の形態について、以下、図面を参照して説明する。
【００２０】
本発明の網状物の編み方法に使用される編み機は、従来の網状物の編み方法に使用される編み機（図１４、１５、１６に示す如く）と同じである。
【００２１】
図１４、１５、１６を参照すると、本発明に使用される編み機には主に一個の編みユニット１が含まれる。編みユニット１には一個の底座セット１１、複数個の編み孔１２および複数個の回動部材セット１３が含まれる。底座セット１１は一個の第一底座１１’と一個の第二底座１１”によって共同で構成され、かつ、第一底座１１’と第二底座１１”が互いに当接する部位に別々に一個の第一当接面１１１’と一個の第二当接面１１１”を含むことにより、第一底座１１’と第二底座１１”は第一当接面１１１’と第二当接面１１１”に沿って相対的な転位を生じることができる。その中、第一底座１１’と第二底座１１”は一個の動力ユニットによって駆動されることにより、相対的な転位を生じさせることができる。
【００２２】
それぞれの編み孔１２は別々に一個の第一半孔１２’と一個の第二半孔１２”によって共同で構成される。複数個の第一半孔１２’は選択的に等距離で第一底座１１’の第一当接面１１１’に設置され、複数個の第二半孔１２”は選択的に等距離で第二底座１１”の第二当接面１１１”に設置されることにより、互いに位置合わせされた第一半孔１２’（１２ａ’、１２ｂ’、１２ｃ’）と第二半孔１２”（１２ａ”、１２ｂ”、１２ｃ”）は共同で編み孔１２を構成する。
【００２３】
それぞれの回動部材セット１３は別々に回動自在にそれぞれの編み孔１２の内に設置される。例を挙げると、回動部材セット１３は好ましくは一個の駆動部材１４によって連動して回動を生じさせることができる。それぞれの回動部材セット１３には別々に二個の線材貫穿孔１３１が穿設される。それぞれの回動部材セット１３は別々に一個の第一回動部材１３’（１３ａ’、１３ｂ’、１３ｃ’）と一個の第二回動部材１３”（１３ａ”、１３ｂ”、１３ｃ”）によって共同で構成され、かつ、第一回動部材１３’と第二回動部材１３”は互いに位置合わせできるように別々に第一底座１１’と第二底座１１”に設置されて、互いに位置合わせされた第一回動部材１３’と第二回動部材１３”は共同で回動することができる。第一回動部材１３’と第二回動部材１３”には別々に一個の第一線材貫穿孔１３１’と一個の第二線材貫穿孔１３１”が穿設されることにより、線材３が別々に貫穿するのに用いることができる。例を挙げると、それぞれの第一線材貫穿孔１３１’は別々に第一線材３ａが貫穿するのに用いられ、それぞれの第二線材貫穿孔１３１”は別々に第二線材３ｂが貫穿するのに用いられる。
【００２４】
上記編み機には好ましくは他に一個の巻取りユニット２が含まれる。巻取りユニット２は編みユニット１の一方に並列され、巻取りユニット２は一個の動力ユニットによって駆動されることにより、編まれた網状物を巻き取ることができる。
【００２５】
図１を参照すると、本発明の網状物の編み方法は、一個の線材貫穿の段階Ｓ１、一個の第一転位の段階Ｓ２、一個の第一回動の段階Ｓ３、一個の第二転位の段階Ｓ４、一個の第二回動の段階Ｓ５および一個の重複の段階Ｓ６を含む。
【００２６】
図１４、１５、１６を参照すると、線材貫穿の段階Ｓ１においては、上述した編み機を利用し、さらに複数個の第一線材３ａと第二線材３ｂを別々に第一回動部材１３’と第二回動部材１３”に貫穿させる。さらに詳しく言えば、それぞれの第一線材３ａの一端は別々にそれぞれの第一回動部材１３’の第一線材貫穿孔１３１’を貫穿し、それぞれの第二線材３ｂの一端は別々にそれぞれの第二回動部材１３”の第二線材貫穿孔１３１”を貫穿し、かつ第一線材３ａと第二線材３ｂは牽引によって編みユニット１から遠く離れる方向へ向かって延伸し、例えば、本実施例においてそれぞれの線材３（３ａ、３ｂ）の一端は巻取りユニット２によって牽引して延伸する。
【００２７】
図１６を例に挙げると、ここでは第一底座１１’と第二底座１１”は互いに位置合わせされた位置関係を一個の原位置状態と定義する。この時、第一回動部材１３ａ’、１３ｂ’、１３ｃ’は別々に第二回動部材１３ａ”、１３ｂ”、１３ｃ”と位置合わせするように形成され、かつ第一回動部材１３ａ’、１３ｂ’、１３ｃ’は別々に第一半孔１２ａ’、１２ｂ’、１２ｃ’内に位置し、第二回動部材１３ａ”、１３ｂ”、１３ｃ”は別々に第二半孔１２ａ”、１２ｂ”、１２ｃ”内に位置する。後続の説明のために、ここでは第一回動部材１３ａ’の第一線材貫穿孔１３１’を貫穿した第一線材３ａを線材３ａ’と定義し、そして図２において太い線で表す。
【００２８】
図１６、２、３を参照すると、第一転位の段階Ｓ２においては、第一底座１１’と第二底座１１”を制御して一個の原位置状態から一個の転位状態まで転位移動させることにより、第一線材３ａと第二線材３ｂは別々に一個の第一方向と一個の第二方向に沿って延伸して延伸部３１を形成する。さらに詳しく言えば、第一底座１１’と第二底座１１”を別々に第一当接面１１１’と第二当接面１１１”に沿って転位移動を生じさせることにより、例を挙げると、図３に示すように、第一底座１１’は右へ向かって平行に移動し、第二底座１１”は左へ向かって平行に移動する。
【００２９】
そのため、第一回動部材１３ａ’は右へ向かって隣接する第二回動部材１３ｂ”と位置合わせするまで平行に移動し、そして共同で一個の回動部材セット１３を形成する。同様に、第一回動部材１３ｂ’は右へ向かって隣接する第二回動部材１３ｃ”と位置合わせするまで平行に移動し、そして共同でもう一個の回動部材セット１３を形成し、このように類推することができる。
【００３０】
このように、第一回動部材１３’と第二回動部材１３”の転位により、かつ線材３が持続的に取りユニット２によって引っ張られることにより、図４に示すように、線材３は別々に右（第一方向）と左（第二方向）へ向かって交叉した延伸部３１ａ、３１ｂが形成される。例えば、第一線材３ａ’は第一回動部材１３ａ’に従って右へ平行に移動することにより、右へ延伸した一個の延伸部３１ａ’が形成され、さらにそれぞれの第二線材３ｂは第二回動部材１３”に従って左へ平行に移動することにより、左へ延伸した一個の延伸部３１が形成される。
【００３１】
図３、４、５を参照すると、第一回動の段階Ｓ３においては、それぞれの回動部材セット１３を奇数回、半回転させることにより、第一線材３ａと第二線材３ｂは互いに絡み合って絡み合わせ部３２を形成する。さらに詳しく言えば、第一転位の段階Ｓ２を完成した後、例えば図３に示すように、第一回動部材１３ａ’と第二回動部材１３ｂ”は別々に第一半孔１２ａ’と第二半孔１２ｂ”に位置する。それから、第一回動の段階Ｓ３を行い、それぞれの回動部材セット１３を奇数回、半回転させる。図５を例に挙げると、本実施例において駆動部材１４によってそれぞれの回動部材セット１３を駆動して奇数回、半回転させ、例えば第一回動部材１３ａ’と第二回動部材１３ｂ”によって共同で構成される回動部材セット１３を反時計回りに５回、半回転（２．５回転）させると、回動された後における第一回動部材１３ａ’と第二回動部材１３ｂ”の位置は互いに置き換えられ、そして別々に位置合わせされた第二半孔１２ｂ”と第一半孔１２ａ’内に位置される。
【００３２】
このように、上記転位状態の時にそれぞれの第一回動部材１３’は元来の位置である第一底座１１’の第一半孔１２’内から奇数回、半回転させることによって位置合わせされた第二底座１１”の第二半孔１２”の内まで移動することができる。これにより、図４に示すように、延伸部３１ａ、３１ｂから複数個の並列の絡み合わせ部３２、３２’を生じられる。
【００３３】
図５、６、７を参照すると、第二転位の段階Ｓ４においては、第一底座１１’と第二底座１１”は反対方向への転位移動を生じさせ、上記原位置状態まで復帰させることにより、第一線材３ａと第二線材３ｂは別々に上記第一方向と第二方向に沿って延伸して延伸部３３ａ、３３ｂを形成する。さらに詳しく言えば、再び第一底座１１’を左へ、そして第二底座１１”を右へ、要するに反対方向へ転位移動を生じさせることにより、上記原位置状態に復帰させることができる。
【００３４】
図７を例に挙げると、第一回動部材１３ａ’は第二底座１１”に従って右へ向かって平行に移動し、そしてもう一個の第二回動部材１３ｃ”と別々に位置合わせされた第一半孔１２ｂ’と第二半孔１２ｂ”内に位置される。このように、図６に示すように、絡み合わせ部３２は再び左右の両側に向かって延伸して第二層の延伸部３３を形成する。例えば、第一線材３ａ’は絡み合わせ部３２’の後に再び右（第一方向）へ延伸して延伸部３３ａ’を形成し、そして第二線材３ｂは絡み合わせ部３２の後に再び左（第二方向）へ延伸して延伸部３３ｂを形成する。
【００３５】
図７、８、９を参照すると、第二回動の段階Ｓ５においては、それぞれの回動部材セット１３を奇数回、半回転させることにより、第一線材３ａと第二線材３ｂは互いに絡み合って絡み合わせ部３４を形成する。さらに詳しく言えば、上記第二転位の段階Ｓ４を完成した後、図７に示すように、第一回動部材１３ａ’と第二回動部材１３ｃ”は別々に第二半孔１２ｂ”と第一半孔１２ｂ’に位置する。それから、この第二回動の段階Ｓ５を行い、それぞれの回動部材セット１３を奇数回、半回転させる。図９を例に挙げると、本実施例において、駆動部材１４によってそれぞれの回動部材セット１３を駆動して奇数回、半回転させ、例えば第一回動部材１３ａ’と第二回動部材１３ｃ”によって共同で構成される回動部材セット１３を時計回りに５回、半回転（２．５回転）させると、回動された後に第一回動部材１３ａ’と第二回動部材１３ｃ”の位置は互いに置き換えられ、そして別々に位置合わせされた第一半孔１２ｂ’と第二半孔１２ｂ”内に位置される。
【００３６】
このように、原位置状態の時にそれぞれの第一回動部材１３’は元来の位置である第二底座１１”の第二半孔１２”内から奇数回、半回転させることによって位置合わせされた第一底座１１’の第一半孔１２’内まで移動することができる。これにより、図８に示すように、延伸部３３ａ、３３ｂから複数個の並列の絡み合わせ部３４、３４’が生じられる。その他に、第一回動の段階Ｓ３と第二回動の段階Ｓ５の中の回動部材セット１３の回動方向は同じ方向または反対方向を選択して回動を行うことができる。第一回動の段階Ｓ３と第二回動の段階Ｓ５は、好ましくは、反対方向で回動され、この反対方向の回動で線材３を絡み合わせることにより、構造強度がさらに高い網状物の構造を形成することができる。
【００３７】
図９、１０、１１を参照すると、重複の段階Ｓ６においては、編まれる網状物のサイズが予定の大きさに達するまで上記第一転位の段階Ｓ２を新たに行う。さらに詳しく言えば、例えば図１１においては、再び第一転位の段階Ｓ１を行うことにより、図１０に示すようにさらに進んでもう一層の延伸部３５、３５ａ、３５ａ’、３５ｂを獲得することができる。このように、上述した第一転位の段階Ｓ２から第二回動の段階Ｓ５を重ねて循環的に行うことにより、それぞれの第一線材貫穿孔１３１’を貫穿した第一線材３ａは段々と右へ向かって延伸し、そしてそれぞれの第二線材貫穿孔１３１”を貫穿した第二線材３ｂは段々と左へ向かって延伸することにより、図１０に示すように、線材３ａ、３ｂが斜め方向に交錯して編まれる網状物を形成することができる。
【００３８】
図１２を参照すると、本発明の網状物の編み方法によって編まれる網状物は、たとえ右へ向かって延伸する第一線材３ａが断裂したとしても、上記網状物は交錯して編まれているため、依然として複数個の左へ向かって延伸する線材３ｂを有することによって網状物の構造を維持することができるため、網状物の最大の破孔サイズは僅か２個の網目の大きさに留まり、大きいサイズの破孔を生じることがないため、網状物の全体的な構造強度を高めることができる。
【００３９】
綜合すると、本発明においては先ず第一底座１１’と第二底座１１”によって転位状態まで転位させた後、それからそれぞれの回動部材セット１３を奇数回、半回転させることにより、同一の編み孔１２の内に位置する第一回動部材１３’と第二回動部材１３”が位置を置き換えることができ、それから第一底座１１’と第二底座１１”を原位置状態まで復帰させ、再びそれぞれの回動部材セット１３を奇数回、半回転させ、このように類推すると、このような循環によって第一回動部材１３’と第二回動部材１３”は持続的に別々に右、左へ向かって平行に移動し、そして上述した構造強度の高い網状物を編み出すことができる。このように、本発明によれば確実に網状物の構造強度を高めることができる。
【００４０】
図１３を参照すると、本発明の網状物の編み方法は、線材貫穿の段階Ｓ１を完成した後、先に第一回動の段階Ｓ３を行った後、再び第一転位の段階Ｓ２を行うことができる。それから、第二回動の段階Ｓ５を行った後、再び第二転位の段階Ｓ４を行うことができ、その段階は前述と同じため、ここではその叙述を省く。このように、循環的に上記段階を行うと、同様に前述した交錯に編まれる網状物を製造することができるため、本発明の網状物の編み方法では先に上記第一転位の段階Ｓ２または第一回動の段階Ｓ３を行わなければならないものとは限らず、奇数回、半回転させる段階と転位の段階を交互に行うだけであればよい。
【００４１】
本発明の網状物の編み方法によれば、第一線材と第二線材はそれぞれ予定された単一の方向に向かって、かつ持続的に互いに交差するもう一個の線材と交差による編みを行うため、本発明によって編まれた網状物は使用時において仮にその内の一個の線材に断裂が生じた場合でも、上記網状物は交互に編まれて形成されることにより、依然としてもう一方の方向へ向かって延伸する線材が複数個存在しているため、網状物の構造を維持することができ、さらに網状物の最大の破孔のサイズは２個の網目の大きさに限定することができるため、大きいサイズの破孔を生じることはなく、大型の破孔が生じるのを避けることができるという効果を有する。
【００４２】
また、本発明によって編まれた網状物によれば、大型の破孔が生じるのを避けることができるため、網状物の全体的な構造強度を高めることができるという効果を有する。
【００４３】
本発明は、その精神及び必須の特徴事項から逸脱することなく他のやり方で実施することもできる。従って、本明細書に記載した好ましい実施形態は例示的なものであり、限定を意図するものではない。
【符号の説明】
【００４４】
１    編みユニット
１１    底座セット
１１’    第一底座
１１”    第二底座
１１１’    第一当接面
１１１”    第二当接面
１２    編み孔
１２’、１２ａ’、１２ｂ’、１２ｃ’    第一半孔
１２”、１２ａ”、１２ｂ”、１２ｃ”    第二半孔
１３    回動部材セット
１３’、１３ａ’、１３ｂ’、１３ｃ’    第一回動部材
１３”、１３ａ”、１３ｂ”、１３ｃ”    第二回動部材
１３１    線材貫穿孔
１３１’    第一線材貫穿孔
１３１”    第二線材貫穿孔
１４    駆動部材
２    巻取りユニット
３    線材
３ａ    第一線材
３ａ’    第一線材
３ｂ    第二線材
３ｗ    絡み合わせ部
３ｘ、３ｘ’    延伸部
３ｙ    絡み合わせ部
３ｚ、３ｚ’    延伸部
３１、３１ａ、３１ａ’、３１ｂ    延伸部
３２、３２’    絡み合わせ部
３３、３３ａ、３３ａ’、３３ｂ    延伸部
３４、３４’    絡み合わせ部
３５、３５ａ、３５ａ’、３５ｂ    延伸部
【図１】
2014519984.tif 000003
2014519984.tif 000004
【図２】
2014519984.tif 000005
【図３】
2014519984.tif 000006
【図４】
2014519984.tif 000007
【図５】
2014519984.tif 000008
【図６】
2014519984.tif 000009
【図７】
2014519984.tif 000010
【図８】
2014519984.tif 000011
【図９】
2014519984.tif 000012
【図１０】
2014519984.tif 000013
【図１１】
2014519984.tif 000014
【図１２】
2014519984.tif 000015
【図１３】
2014519984.tif 000016
【図１４】
2014519984.tif 000017
2014519984.tif 000018
【図１５】
2014519984.tif 000019
2014519984.tif 000020
【図１６】
2014519984.tif 000021
2014519984.tif 000022
【図１７】
2014519984.tif 000023
2014519984.tif 000024
【図１８】
2014519984.tif 000025
2014519984.tif 000026
【図１９】
2014519984.tif 000027
2014519984.tif 000028
【図２０】
2014519984.tif 000029
2014519984.tif 000030
【図２１】
2014519984.tif 000031
2014519984.tif 000032
【図２２】
2014519984.tif 000033
2014519984.tif 000034
【図２３】
2014519984.tif 000035
2014519984.tif 000036
【図２４】
2014519984.tif 000037
2014519984.tif 000038
【図２５】
2014519984.tif 000039
2014519984.tif 000040
【国際調査報告】
2014519984.tif 000041
2014519984.tif 000042
2014519984.tif 000043
2014519984.tif 000044
2014519984.tif 000045
2014519984.tif 000046